(57)【要約】【課題】振り分ける電線部分間の作業空間幅を広くできる活線振分工法を提供する。【解決手段】工具本体１と、工具本体１の他端側で伸縮作動する伸縮杆３と、工具本体１の一端側及び伸縮杆３の先端部に連結される一対のチャック４，４と、工具本体１の一端側に取り付けられるハンドル側電線保持具５Ａと、伸縮杆３の先端側に取り付けられる伸縮杆側電線保持具５Ｂとからなる活線振分工具を使用し、架空電線８の所要部に両チャック４，４を固定し、ハンドル２で伸縮杆３を収縮作動させて両チャック４，４を対向方向に引張することにより両チャック４，４間の電線部分８ａを撓ませた後、撓んだ電線部分８ａの両端部側を、ハンドル側電線保持具５Ａと伸縮杆側電線保持具５Ｂとにより保持固定し、両保持具５Ａ，５Ｂ間の電線部分８ａｏを一方の保持具５Ａに近い位置で切断し、他方の保持具５Ｂを工具本体１の下側に向けて電線８を振り分ける。【選択図】図３
2008206254.tif 000002
【特許請求の範囲】
【請求項１】
円筒状の工具本体と、工具本体の一端側でハンドルを操作することによりその他端側で伸縮作動する伸縮杆と、工具本体の一端側及び伸縮杆の先端部に夫々連結される両側一対のチャックと、工具本体の一端側に取り付けられるハンドル側電線保持具と、伸縮杆の先端側に取り付けられる伸縮杆側電線保持具とからなる活線振分工具を使用し、架空電線の中間所要部に両チャックを固定し、ハンドル操作で伸縮杆を収縮作動させて両チャックを対向方向に引張することにより両チャック間の電線部分を撓ませた後、その撓んだ電線部分の両端部側を、夫々工具本体の上側に向けたハンドル側電線保持具と伸縮杆側電線保持具とにより保持固定し、両保持具間の電線部分を両保持具の何れか一方の保持具に近い位置で切断し、他方の保持具を工具本体の下側に向けることにより電線を振り分けるようにした活線振分工法。
【請求項２】
伸縮杆側電線保持具の取付けにあたり、伸縮杆先端部の金属製端部リング外周面に設けてある半径方向孔にバネを介して抜止片を挿入する一方、前記端部リングに外嵌可能な保持具固定リングの内周面には抜止片係合溝を周設して、この抜止片係合溝と前記端部リング側の半径方向孔とに亘って抜止片が介在するように端部リングに保持具固定リングを外嵌し、この保持具固定リングに伸縮杆側電線保持具を取り付けるようにした請求項１に記載の活線振分工法。
【発明の詳細な説明】
【技術分野】
【０００１】
本発明は、高圧配電線工事において、停電範囲の縮小を目的として架空電線の中間部に活線振分工具を取り付けて電線を振り分けする活線振分工法に関するものである。
【背景技術】
【０００２】
従来の活線振分工法として特許公報等の公知文献を具体的に挙げることはできないが、従来の活線振分工法に使用される活線振分工具を図４の(a) に示し、同図の(b) には活線振分工具の工具本体部分を示す。従来の活線振分工具は、円筒状の工具本体１と、この工具本体１の一端側においてハンドル２を操作して調整ボルト（図示せず）あるいは調整ネジ部（図示せず）を回すことによりその他端側で伸縮作動する伸縮杆３と、工具本体１の一端側及び伸縮杆３の先端部に夫々ロープＲを介して連結される両側一対のチャック４，４と、工具本体１の両端側に取り付けられる電線保持具５，５とから構成される。
【０００３】
電線保持具５は、図４の(b) に示すように、円筒状工具本体１の両端部に夫々回転可能に取り付けてある電線保持具固定リング６に取付台座７を介して固定リングと直交するように取り付けられたもので、先端側に開口する電線挿通溝Ｇに架空電線８を挿通させて、ネジ具Ｎで保持固定するようになっている。
【０００４】
上記活線振分工具の使用による電線の振り分け方法について図５の(a) 〜(e) を参照しながら説明すると、先ず同図の(a) に示すように架空電線７の中間所要部に両チャック４，４を固定し、そしてハンドル２を揺動操作することにより伸縮杆３を収縮作動させて両チャック４，４を対向方向に引張することにより、両チャック４，４間の電線部分８ａを撓ませて(b) に示すような状態とし、しかる後その撓んだ電線部分８ａの２箇所を夫々工具本体１の上側に向けた電線保持具５，５により保持固定して(c) に示すような状態とし、この状態で両電線保持具５，５間の電線部分８ａｏを、(d) に示すようにその中間部で切断し、一方の電線保持具５を工具本体１の下側に向けることによって電線８を(e) に示すような状態に振り分ける。こうして振り分けた電線部分８ａｏ1と８ａｏ2との間の作業空間Ｓを利用して、電線皮剥ぎ、接続、絶縁処理等の作業を行なうようになっている。
【発明の開示】
【発明が解決しようとする課題】
【０００５】
上記のような活線振分工法によると、図５の(e) に示すように振り分けられた電線部分８ａｏ1，８ａｏ2間の作業空間Ｓの幅が狭いために、作業者が誤って作業工具等を電線部分８ａｏ1，８ａｏ2に触れさせてしまうなどして、短絡事故が発生し、短絡アークにより作業者が被災するといった問題があった。
【０００６】
本発明は、上記の課題に鑑み、振り分けられる電線部分間の作業空間幅をできるだけ広くするようにした活線振分工法を提供することを目的とする。
【課題を解決するための手段】
【０００７】
上記課題を解決するための手段を、後述する実施形態の参照符号を付して説明すると、請求項１に係る本発明の活線振分工法は、円筒状の工具本体１と、工具本体１の一端側でハンドル２を操作することによりその他端側で伸縮作動する伸縮杆３と、工具本体１の一端側及び伸縮杆３の先端部に夫々連結される両側一対のチャック４，４と、工具本体１の一端側に取り付けられるハンドル側電線保持具５Ａと、伸縮杆３の先端側に取り付けられる伸縮杆側電線保持具５Ｂとからなる活線振分工具を使用し、架空電線８の中間所要部に両チャック４，４を固定し、ハンドル２操作で伸縮杆３を収縮作動させて両チャック４，４を対向方向に引張することにより両チャック４，４間の電線部分８ａを撓ませた後、その撓んだ電線部分８ａの両端部側を、夫々工具本体１の上側に向けたハンドル側電線保持具５Ａと伸縮杆側電線保持具５Ｂとにより保持固定し、両保持具５Ａ，５Ｂ間の電線部分８ａｏを両保持具５Ａ，５Ｂの何れか一方の保持具５Ａに近い位置で切断し、他方の保持具５Ｂを工具本体１の下側に向けることにより電線８を振り分けるようにしたことを特徴とする。
【０００８】
請求項２は、請求項１に記載の活線振分工法において、伸縮杆側電線保持具５Ｂの取付けにあたり、伸縮杆３先端部の金属製端部リング９外周面に設けてある半径方向孔１０にバネ１１を介して抜止片１２を挿入する一方、前記端部リング９に外嵌可能な保持具固定リング６Ｂの内周面には抜止片係合溝１３を周設して、この抜止片係合溝１３と前記端部リング９側の半径方向孔１０とに亘って抜止片１２が介在するように端部リング９に保持具固定リング６Ｂを外嵌し、この保持具固定リング６Ｂに伸縮杆側電線保持具５Ｂを取り付けるようにしたことを特徴とする。
【発明の効果】
【０００９】
上記解決手段による発明の効果を、後述する実施形態の参照符号を付して説明すると、請求項１に係る発明の活線振分工法によれば、一対の電線保持具５Ａ，Ｂのうちの一方の電線保持具５Ａを工具本体１の一端側、即ちハンドル２の設けられた端部側に取り付け、他方の電線保持具５Ｂを伸縮杆３の先端側に取り付け、しかも両保持具５Ａ，５Ｂで保持した電線部分８ａを何れか一方の保持具５Ａに近い位置で切断するようにしたから、振り分けられた電線部分８ａｏ1，８ａｏ2間の作業空間Ｓの幅を、従来工法に比べてはるかに広くすることができ、従って作業者が誤って作業工具等を電線部分８ａｏ1，８ａｏ2に触れさせるような危険性が少なく、短絡事故の発生を極力無くすることができる。
【００１０】
請求項２に係る発明によれば、保持具固定リング６Ｂを端部リング９に容易に取り付けることができ、従って伸縮杆３の先端部に対する伸縮杆側電線保持具５Ｂの取付けが容易となる。
【発明を実施するための最良の形態】
【００１１】
以下に本発明の好適な一実施形態を図面に基づいて説明すると、図１の(a) は本発明に係る活線振分工法に使用される活線振分工具を示す概略正面図、(b)は同活線振分工具の工具本体部分を示す斜視図である。この活線振分工具は、図４の(a) ，(b) に示す従来工法に使用される活線振分工具と概ね同様で、両側一対の電線保持具５Ａ，Ｂのうちの一方の電線保持具５Ａは工具本体１の一端側、つまりハンドル２の設けられた端部側に取り付けられるが、他方の電線保持具５Ｂが伸縮杆３の先端側に取り付けられる、という点で図４に示す従来の活線振分工具と相違している。
【００１２】
即ち、図１の(a) ，(b) に示す本発明に係る活線振分工具は、円筒状の工具本体１と、この工具本体１の一端側でハンドル２を操作することによってその他端側で伸縮作動する伸縮杆３と、工具本体１の一端側及び伸縮杆３の先端部に夫々ロープＲを介して連結される両側一対のチャック４，４と、工具本体１の一端側に取り付けられるハンドル側電線保持具５Ａと、伸縮杆３の先端側に取り付けられる伸縮杆側電線保持具５Ｂとからなる。
【００１３】
ハンドル側電線保持具５Ａは、図４ に示す従来の電線保持具５と同じ構成であって、円筒状工具本体１の一端部に回転可能に取り付けてある電線保持具固定リング６Ａに取付台座７Ａを介して固定リング６Ａと直交するように取り付けられている。伸縮杆側電線保持具５Ｂは、伸縮杆３の先端部に固着されている金属製端部リング９に取り付けた電線保持具固定リング６Ｂに、取付台座７Ｂを介して取り付けられている。電線保持具固定リング６Ａは、工具本体１の一端部に、回転可能ではあるが、軸方向には移動不能に取り付けられている。電線保持具固定リング６Ｂも、伸縮杆３の先端部に回転可能ではあるが、軸方向に移動不能に取り付けられる。
【００１４】
伸縮杆側電線保持具５Ｂの取付けにあたっては、図２の(a) に示すように、伸縮杆３先端部の端部リング９の外周面に設けてある半径方向孔１０にコイルバネ１１を介して抜止片１２を挿入すると共に、端部リング９に外嵌可能な保持具固定リング６Ｂの内周面には抜止片係合溝１３を周方向に設けておいて、抜止片１２をコイルバネ１１の付勢力に抗して半径方向孔１０内に押し込んだ状態で保持具固定リング６Ｂを伸縮杆３先端部の端部リング９に外嵌することにより、抜止片１２が(b) に示すように保持具固定リング６Ｂ側の抜止片係合溝１３と端部リング側の半径方向孔１０とに亘って介在することになるから、保持具固定リング６Ｂを端部リング９に容易に取り付けることができる。尚、抜止片１２は、端部リング９側の定位置で保持具固定リング６Ｂの抜止片係合溝１３に摺動可能に係合されているから、保持具固定リング６Ｂは端部リング９に対し回動可能となる。
【００１５】
しかして、伸縮杆側電線保持具５Ｂには取付台座７Ｂが取り付けてあるから、この取付台座７Ｂの取付ボルト１４を保持具固定リング６Ｂのネジ孔１５にねじ込むことにより、伸縮杆側電線保持具５Ｂを伸縮杆３の端部リング９に対し容易に取り付けることができることになる。
【００１６】
端部リング９は、図４に示す従来の活線振分工具の伸縮杆３にも取り付けられているものであって、従来の活線振分工具を本発明工法に係る活線振分工具に転用しようとする場合は、この端部リング９に保持具固定リング６Ｂを上記の要領で取り付けることにより、伸縮杆側電線保持具５Ｂの取付けが容易となる。
【００１７】
尚、ハンドル側電線保持具５Ａを工具本体１の一端部に取り付けるには、電線保持具固定リング６Ａを工具本体１に取り付けた後、このリング６Ａに対しハンドル側電線保持具５Ａを取付台座７Ａを介して伸縮杆側電線保持具５Ｂ同じ様にして取り付ければよい。
【００１８】
工具本体１の一端部及び伸縮杆３の先端部には夫々、ロープ通し孔１６ａ，１７ａ付きの突片１６，１７が設けてある。この突片１６，１７については、図４に示す従来の活線振分工具と同様である。
【００１９】
上記のように構成される活線振分工具の使用による架空電線８の振り分け方法について図３の(a) 〜(e) を参照して説明すると、先ず(a) に示すように架空電線７の中間所要部に両側一対のチャック４，４を固定した後、ハンドル２を揺動操作することにより伸縮杆３を収縮作動させて両チャック４，４を対向方向に引張することにより、両チャック４，４間の電線部分８ａを撓ませて、(b) に示すような状態とする。この後、撓んだ電線部分８ａの両端部側を、(c) に示すように夫々工具本体１の上側に向けたハンドル側電線保持具５Ａと伸縮杆側電線保持具５Ｂとにより保持固定し、しかして両保持具５Ａ，５Ｂ間の電線部分８ａｏを、何れか一方、例えば(d) に示すようにハンドル側電線保持具５Ａに近い位置で切断し、他方、すなわち伸縮杆側電線保持具５Ｂを工具本体１の下側に向けることによって電線８を(e) に示すように振り分ける。こうして振り分けられた電線部分８ａｏ1 と８ａｏ2との間の作業空間Ｓを利用して、電線皮剥ぎ、接続、絶縁処理等の作業を行なう。
【００２０】
この場合、両側一対の電線保持具５Ａ，Ｂのうちの一方の電線保持具５Ａを工具本体１の一端側、つまりハンドル２の設けられた端部側に取り付け、他方の電線保持具５Ｂを伸縮杆３の先端側に取り付け、しかも両保持具５Ａ，５Ｂで保持した電線部分８ａを何れか一方の保持具、例えばハンドル側電線保持具５Ａに近い位置で切断するようにしたから、図３の(e) から分かるように、振り分けられた電線部分８ａｏ1，８ａｏ2間の作業空間Ｓの幅が、従来工法を示す図５の(e) に比べてはるかに広くなり、従って作業者が誤って作業工具等を電線部分８ａｏ1，８ａｏ2に触れさせるような危険性が少なく、短絡事故の発生を極力無くすることができる。
【図面の簡単な説明】
【００２１】
【図１】(a) は本発明に係る活線振分工法に使用される活線振分工具を示す概略正面図、(b)は同活線振分工具の工具本体部分を示す斜視図である。
【図２】(a) は伸縮杆の先端の端部リングとこれに外嵌される電線保持具固定リングを示す説明図、(b) は伸縮杆先端の端部リングに電線保持具固定リングを外嵌し、このリングに取付台座を介して伸縮杆側電線保持具を取り付けた状態の説明図である。
【図３】(a) 〜(e) は本発明に係る活線振分工法を説明する説明図である。
【図４】従来の活線振分工法に使用される活線振分工具を示す概略正面図、(b)は同活線振分工具の工具本体部分を示す斜視図である。
【図５】(a) 〜(e) は従来の活線振分工法を説明する説明図である。
【符号の説明】
【００２２】
１            工具本体
２            ハンドル
３            伸縮杆
４            チャック
５Ａ          ハンドル側電線保持具
５Ｂ          伸縮杆側電線保持具
８            架空電線
８ａ          両チャック間の電線部分
８ａｏ        両保持具間の電線部分
【図１】
2008206254.tif 000003
【図２】
2008206254.tif 000004
【図３】
2008206254.tif 000005
【図４】
2008206254.tif 000006
【図５】
2008206254.tif 000007